(57)【要約】【課題】読影レポートの作成作業を容易にすることが可能なレポート作成支援装置を提供する。【解決手段】実施形態に記載のレポート作成支援装置は、表示部と、入力部と、特定部と、生成部とを含んで構成されている。表示部は、読影レポート及び第１の医用画像を表示する。特定部は、表示部に表示された第１の医用画像における所定領域又は所定位置を特定する。生成部は、特定部により特定された所定領域もしくは位置、並びに第１の医用画像に基づいて、第２の医用画像を生成する。【選択図】図２
2013215563.tif 000002
【特許請求の範囲】
【請求項１】
読影レポート及び第１の医用画像を表示する表示部と、
前記表示部に表示された第１の医用画像における所定領域又は所定位置を特定する特定部と、
前記特定部により特定された前記所定領域もしくは位置、並びに前記第１の医用画像に基づいて、第２の医用画像を生成する生成部と、を備える、
ことを特徴とするレポート作成支援装置。
【請求項２】
前記第２の医用画像を前記読影レポートに関連付ける関連付け部を備える、
ことを特徴とする請求項１に記載のレポート作成支援装置。
【請求項３】
前記生成部は、
前記特定部により特定された前記所定領域又は前記所定位置を含む所定範囲を前記第１の医用画像から抽出する抽出部を備え、
前記第１の画像の前記所定範囲に基づき第２の医用画像を生成する、
ことを特徴とする請求項１に記載のレポート作成支援装置。
【請求項４】
前記関連付け部は、前記読影レポートに前記第１の医用画像および前記第２の医用画像を関連付ける、
ことを特徴とする請求項２に記載のレポート作成支援装置。
【請求項５】
前記第２の医用画像の画像処理条件を前記読影レポートに関連付ける関連付け部を備える、
ことを特徴とする請求項１に記載のレポート作成支援装置。
【請求項６】
前記関連付け部は、リンク情報を前記読影レポートに埋め込むことにより関連付けを行う、
ことを特徴とする請求項２〜５のいずれかに記載のレポート作成支援装置。
【請求項７】
前記生成部は、前記特定部により特定された前記領域又は位置および前記第１の医用画像に基づいて、第１の医用画像の拡大画像を前記第２の医用画像として生成する、
ことを特徴とする請求項１に記載のレポート作成支援装置。
【請求項８】
前記生成部は、前記特定部により特定された前記領域又は位置および前記第１の医用画像に基づいて、第１の医用画像の一部である切り出し画像を前記第２の医用画像として生成する、
ことを特徴とする請求項１に記載のレポート作成支援装置。
【請求項９】
前記特定部は、前記医用画像中に描出された図形に基づき、前記領域を特定する、
ことを特徴とする請求項３に記載のレポート作成支援装置。
【請求項１０】
前記図形は、前記医用画像における注目部位を指す矢印であり、
前記抽出部は、前記矢印の先端の領域を含む前記所定範囲を抽出する、
ことを特徴とする請求項８に記載のレポート作成支援装置。
【請求項１１】
前記図形は、前記医用画像における注目部位を囲む図形であり、
前記抽出部は、前記図形を前記所定領域として前記所定範囲を抽出する、
ことを特徴とする請求項９に記載のレポート作成支援装置。
【請求項１２】
前記第１の医用画像に対する操作を行うための入力部を備え、
前記特定部は、前記入力部を用いたドラッグ操作に基づき、前記所定領域を特定する、
ことを特徴とする請求項１に記載のレポート作成支援装置。
【請求項１３】
前記特定部は、前記医用画像において指定された注目部位を前記所定領域として特定する、
ことを特徴とする請求項１に記載のレポート作成支援装置。
【請求項１４】
前記第１の画像と前記第２の画像とを前記表示部に並べて表示させる表示制御部を備える、
ことを特徴とする請求項１又は３に記載のレポート作成支援装置。
【請求項１５】
前記表示部において、前記第１の画像の上に前記第２の画像を重ねて表示させる表示制御部を備える、
ことを特徴とする請求項１又は３に記載のレポート作成支援装置。
【請求項１６】
前記表示部の表示に関する操作を行うための入力部を備え、
前記表示制御部は、前記入力部の操作に応じて、前記表示部において、前記第２の画像非表示とする制御を行う、
ことを特徴とする請求項１５に記載のレポート作成支援装置。
【請求項１７】
前記表示部の表示に関する操作を行うための入力部を備え、
前記入力部の操作に応じ、前記表示部において、前記第１の画像および前記第２の画像を切り替えていずれか一方を表示させる表示制御部を備える、
ことを特徴とする請求項１又は３に記載のレポート作成支援装置。
【請求項１８】
前記表示制御部は、前記第１の画像および前記第２の画像の位置関係を示す位置関係情報を前記表示部に表示させる制御を行う、
ことを特徴とする請求項１４に記載のレポート作成支援装置。
【請求項１９】
前記位置関係情報は、
前記第１の画像における前記第２の画像に相当する位置と、該第１の画像と並んで表示された前記第２の画像との間を結びつける線を表示するための線情報を含み、
前記表示制御部は、
前記第１の画像において前記所定範囲を特定し、
さらに前記線情報に基づいて、前記第１の画像における前記第２の画像に相当する位置と、前記第２の画像との間を結びつける線を、前記表示部に表示させる制御を行う、
ことを特徴とする請求項１８に記載のレポート作成支援装置。
【請求項２０】
前記表示制御部は、
前記第１の画像において前記第２の画像に相当する位置情報を特定し、
さらに前記第１の画像において、前記位置情報に基づく前記第２の画像の位置を、少なくとも該位置の周囲と異なる態様で表示させることにより、前記位置関係情報を表示させる、
ことを特徴とする請求項１８に記載のレポート作成支援装置。
【請求項２１】
前記表示制御部は、前記第２の画像が複数ある場合、少なくとも１つの第２の画像を、前記第１の画像と並べて表示する、
ことを特徴とする請求項１４に記載のレポート作成支援装置。
【請求項２２】
前記表示部の表示に関する操作を行うための入力部を備え、
前記第２の画像が複数ある場合、前記表示制御部は前記入力部の操作に応じて、少なくとも１つの第２の画像を前記第１の画像と並べて表示させる制御を行う
ことを特徴とする請求項２１に記載のレポート作成支援装置。
【請求項２３】
前記表示制御部は、前記第２の画像が複数ある場合、
前記第１の画像において、前記第２の画像それぞれに相当する各位置を、少なくともこれら各位置の周囲と異なる態様で表示させ、
さらに、前記入力部を介して前記各位置のいずれかを選択する操作に応じて、少なくとも１つの前記第２の画像を前記第１の画像と並べて表示させる制御を行う、
ことを特徴とする請求項２２に記載のレポート作成支援装置。
【請求項２４】
前記表示部の表示に関する操作を行うための入力部を備え、
前記第２の画像が複数ある場合、前記表示制御部は前記入力部の操作に応じて、少なくとも１つの第２の画像を前記第１の画像と重ねて表示させる制御を行う、
ことを特徴とする請求項１５に記載のレポート作成支援装置。
【請求項２５】
前記表示部の表示に関する操作を行うための入力部を備え、
前記第２の画像は、前記第１の画像の所定範囲を拡大した拡大画像であり、
前記表示制御部は、前記第２の画像が複数ある場合、
前記第１の画像において、前記第２の画像それぞれに相当する各位置を、少なくともこれら各位置の周囲と異なる態様で表示させ、
さらに、前記入力部を介して前記各位置のいずれかを選択する操作に応じて、少なくとも１つの前記拡大画像を前記第１の画像と重ねて表示させる制御を行う、
ことを特徴とする請求項２４に記載のレポート作成支援装置。
【請求項２６】
第１の画像が関連付けられた読影レポートを表示する表示部と、
関連付けられた前記第１の画像において、注目部位を示す図形の有無を判断する判断部と、
前記注目部位を示す図形があると判断されたときに、前記第１の医用画像に基づいて、その図形の少なくとも一部を含む第２の医用画像を生成する生成部と、
前記第２の画像を前記表示部に表示させる表示制御部と、
を有することを特徴とするレポート閲覧装置。
【請求項２７】
前記生成部は、
前記注目部位を示す図形があると判断されたときに、前記第１の画像から、その図形の少なくとも一部を含む所定範囲を抽出する抽出部を備え、
前記第２の医用画像として、前記所定範囲に対応する拡大画像又は切り出し画像を生成する、
ことを特徴とする請求項２６に記載のレポート閲覧装置。
【発明の詳細な説明】
【技術分野】
【０００１】
本発明の実施形態は、レポート作成支援装置及びレポート閲覧装置に関する。
【背景技術】
【０００２】
医療分野においては、専門分野が細分化されている。従って、医用画像撮影装置（Ｘ線ＣＴ装置、ＭＲＩ装置等）により取得された医用画像の読影を専門医（読影医）に依頼することが広く行われている。
【０００３】
読影医は、読影対象の医用画像を確認しながら、その所見を読影レポートとしてまとめる作業を行う。
【０００４】
読影レポートの作成には、レポート作成装置が用いられる。一般に、読影医はレポート作成装置の表示部に表示された医用画像を確認し、所見を見出すことにより読影レポートを作成する。そして、読影医は、その所見を表示部に表示された所見入力欄に入力する。
【０００５】
この際、読影医は、所見の根拠となった部分（；以下、「注目部位」という場合がある）を明確にするために、所見の判断に用いられた医用画像（以下、「キー画像」という場合がある）を読影レポートに関連付ける。なお所見の根拠となった部分とは、たとえば、血栓や腫瘍等の病変部である。
【０００６】
また、読影医はキー画像中における注目部位を明確にするため、そのキー画像にアノテーションと呼ばれる円や多角形等の図形を付与する操作を行う。
【先行技術文献】
【特許文献】
【０００７】
【特許文献１】特開２０１０−１６７１４４号公報
【発明の概要】
【発明が解決しようとする課題】
【０００８】
一般に、医用画像には、注目部位を含む広い範囲が示されている。従って読影レポートに、アノテーションが付されたキー画像がそのまま関連付けられると、その読影レポートを確認する医師等にとって、医用画像に示された各部が分かり難くなる場合がある。
【０００９】
そのため、読影医は、医用画像取得装置で取得された医用画像と別に、注目部位を示す注目画像を追加で作成する。さらに読影医は、キー画像と併せてその注目画像を読影レポートに関連付ける。このように、読影の都度、注目画像を作成し、読影レポートに関連付ける作業は、読影医にとって煩雑である。さらにこの作業によって読影効率の低下を招くという問題があった。
【００１０】
実施形態は、前述の問題点を解決するためになされたもので、読影レポートの作成作業を容易にすることが可能なレポート作成支援装置及びレポート閲覧装置を提供することを目的とする。
【課題を解決するための手段】
【００１１】
上記課題を解決するために、実施形態に記載のレポート作成支援装置は、表示部と、入力部と、特定部と、生成部とを含んで構成されている。表示部は、読影レポート及び第１の医用画像を表示する。特定部は、表示部に表示された第１の医用画像における所定領域又は所定位置を特定する。生成部は、特定部により特定された所定領域もしくは位置、並びに第１の医用画像に基づいて、第２の医用画像を生成する。
【図面の簡単な説明】
【００１２】
【図１】第１実施形態に係る医用情報システムを示す全体図である。
【図２】第１実施形態に係るレポート作成装置を示す図である。
【図３Ａ】第１実施形態に係る医用画像の一例を示す図である。
【図３Ｂ】第１実施形態に係る医用画像の一例を示す図である。
【図３Ｃ】第１実施形態に係る医用画像の一例を示す図である。
【図３Ｄ】第１実施形態に係る医用画像の一例を示す図である。
【図３Ｅ】第１実施形態に係る医用画像の一例を示す図である。
【図３Ｆ】拡大画像を読影レポートに関連付ける操作を概念的に示す概略図である。
【図３Ｇ】拡大画像を読影レポートに関連付ける処理を概念的に示す概略図である。
【図３Ｈ】拡大画像を読影レポートに関連付ける処理を概念的に示す概略図である。
【図４Ａ】第１実施形態に係る医用画像の別例を示す図である。
【図４Ｂ】第１実施形態に係る医用画像の別例を示す図である。
【図４Ｃ】第１実施形態に係る医用画像の別例を示す図である。
【図４Ｄ】第１実施形態に係る医用画像の別例を示す図である。
【図４Ｅ】第１実施形態に係る医用画像の別例を示す図である。
【図４Ｆ】読影レポートとともに表示される医用画像及び拡大画像の概要を示す概略図である。
【図４Ｇ】読影レポートとともに表示される医用画像及び拡大画像の概要を示す概略図である。
【図４Ｈ】読影レポートとともに表示される医用画像及び拡大画像の概要を示す概略図である。
【図４Ｉ】読影レポートとともに表示される医用画像及び拡大画像の概要を示す概略図である。
【図４Ｊ】読影レポートとともに表示される医用画像及び拡大画像の概要を示す概略図である。
【図４Ｋ】読影レポートとともに表示される医用画像及び拡大画像の概要を示す概略図である。
【図４Ｌ】読影レポートとともに表示される医用画像及び拡大画像の概要を示す概略図である。
【図５】第１実施形態に係るレポート作成装置の動作を示すフローチャートである。
【図６】変形例に係る医用画像の一例を示す図である。
【図７】第２実施形態に係る医用情報システムを示す全体図である。
【図８】第２実施形態に係るレポート閲覧装置を示す図である。
【図９】第２実施形態に係るレポート閲覧装置の動作を示すフローチャートである。
【発明を実施するための形態】
【００１３】
＜第１実施形態＞
図１から図５を参照して、本実施形態に係るレポート作成装置４の構成について説明する。
【００１４】
［医用情報システム１の全体構成］
図１に示すように、医用情報システム１は、医用画像撮影装置２、医用画像保管装置３、レポート作成装置４及びレポート保管装置５を含んで構成されている。これらの装置間はＬＡＮ（Ｌｏｃａｌ  Ａｒｅａ  Ｎｅｔｗｏｒｋ）等のネットワークＮを介して通信可能に接続されている。装置間の通信は、医用画像の標準規格であるＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）に準拠してもよい。ただし、装置間の通信として、他の標準規格を適用してもよい。情報通信は、たとえばＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）による。また装置間において、データはネットワークＮを介してパケット（転送する情報の基本単位）でやり取りされる。
【００１５】
医用画像撮影装置２は、たとえば、Ｘ線撮影装置、Ｘ線ＣＴ（Ｃｏｍｐｕｔｅｄ  Ｔｏｍｏｇｒａｐｈｙ）装置及びＭＲＩ（Ｍａｇｎｅｔｉｃ  Ｒｅｓｏｎａｎｃｅ  Ｉｍａｇｉｎｇ）装置等である。医用画像撮影装置２により被検体の撮影がなされ、その結果、医用画像を取得することができる。取得された医用画像は、たとえばＤＩＣＯＭに準拠したファイル形式で医用画像保管装置３に送信される。送信される医用画像には、その医用画像を取得した日付、撮影条件等その医用画像に付随する画像関連情報が含まれている。なお、「画像」と「画像データ」は一対一に対応するので、本実施形態においては、これらを同一視する場合がある。
【００１６】
医用画像保管装置３は、医用画像撮影装置２から送信された医用画像等を保管する装置である。医用画像保管装置３は、所謂コンピュータであり、内部にＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）及び大容量の記憶装置等を含んで構成されている。なお、これらＣＰＵ、ＲＯＭ、ＲＡＭ及び当該記憶装置の図示は省略する。
【００１７】
レポート作成装置４は、読影医等からの指示に基づき、表示部４３（後述）に表示された医用画像に関する所見を記録する。またレポート作成装置４は、読影レポートを作成する。レポート作成装置４の詳細については後述する。
【００１８】
レポート保管装置５は、レポート作成装置４で作成された読影レポートや、その読影レポートを作成する際に参照した医用画像（キー画像）を保管する。レポート保管装置５は、所謂コンピュータであり、内部にＣＰＵ、ＲＯＭ、ＲＡＭ及び大容量の記憶装置等を含んで構成されている。なお、これらＣＰＵ、ＲＯＭ、ＲＡＭ及び当該記憶装置の図示は省略する。また、医用画像保管装置３及びレポート保管装置５は、一つの装置として構成されていてもよい。或いは、レポート作成装置４及びレポート保管装置５を一つの装置として構成することも可能である。
【００１９】
［レポート作成装置の構成］
図２は、本実施形態に係るレポート作成装置４の詳細を示すブロック図である。レポート作成装置４は、入力部４１と、ＣＰＵ４２と、表示部４３とを含んで構成されている。
【００２０】
（入力部）
入力部４１は、レポート作成装置４において各種の指示に用いられる。入力部４１は、たとえば、キーボード、マウス、トラックボール、ジョイスティック等である。また、入力部４１として、表示部４３に表示されたＧＵＩ（Ｇｒａｐｈｉｃａｌ  Ｕｓｅｒ  Ｉｎｔｅｒｆａｃｅ）を用いることも可能である。また、入力部４１としては、少なくとも医用画像における各位置を指定することが可能なポインティングデバイスが含まれる。
【００２１】
（ＣＰＵ）
本実施形態において、ＣＰＵ４２は、取得部４２１、レポート作成部４２２、処理部４２３、関連付け部４２４、及び表示制御部４２５として機能する。
【００２２】
取得部４２１は、入力部４１等からの指示に基づいて、医用画像を医用画像保管装置３から取得する。医用画像は、読影医等が読影レポートを作成する際に参照される。具体例として、入力部４１で検査ＩＤが入力された場合、取得部４２１は、その検査ＩＤに対応する医用画像を医用画像保管装置３から読み出す。
【００２３】
レポート作成部４２２は、入力部４１等からの指示に基づいて、表示部４３に表示された所見入力欄に所見の内容を表示させる。具体例として、入力部４１がキーボードからなる場合、レポート作成部４２２は、読影医により押下された文字キーに対応付けられた文字を所見入力欄に電子データとして記録する。さらにレポート作成部４２２は、記録した文字のデータを当該所見入力欄に反映させる。
【００２４】
処理部４２３は、取得部４２１により取得された医用画像に対して各種の処理を行う。本実施形態における処理部４２３は、アノテーション部４２３ａと、特定部４２３ｂと、抽出部４２３ｃと、拡大部４２３ｄとを含んで構成されている。なお、拡大部４２３ｄは、「生成部」の一例に該当する。
【００２５】
アノテーション部４２３ａは、入力部４１等からの指示に基づいて、表示部４３に表示された医用画像にアノテーションを付加する。アノテーションは、たとえば、注目部位（病変部等）を指す矢印や、注目部位を囲む円、楕円、多角形、或いは、注目部位を囲むようにフリーハンドで描かれた線等、医用画像上に描出される図形である。具体例として、読影医は、円形状のアノテーションを選択し、マウス等の入力部４１により医用画像中の注目部位を囲むように指示を行う。この入力に応じてアノテーション部４２３ａは、医用画像の該当部分に円形状のアノテーションＡを表示させる（図３Ａ参照）。アノテーションは、１枚の医用画像に複数箇所、付加されてもよい。
【００２６】
特定部４２３ｂは、表示部４３に表示された医用画像におけるいずれかの画像領域を特定する。画像領域の特定には、公知の手法を用いることが可能である。具体例として、図３Ａを参照して説明する。特定部４２３ｂは、アノテーションＡが付加された医用画像に対して、エッジ検出等の処理を行いアノテーションＡの周（外縁部）を検出する。また特定部４２３ｂは、その周及び周に囲われた部分（面）を画像領域として特定する。１枚の医用画像に複数箇所のアノテーションが付加されている場合や、複数枚の医用画像それぞれにアノテーションが付加されている場合、特定部４２３ｂは、上記処理を各医用画像のアノテーション毎に行う。特定部４２３ｂによる処理は、入力部４１等による指示（手動）により開始してもよい。或いは、当該処理を医用画像にアノテーションが付加されたことを特定部４２３ｂが検知することに応じて、自動で開始してもよい。
【００２７】
画像領域は、具体例に示したような面に限られない。たとえば、画像領域は、点、線、及び立体のいずれであってもよい。すなわち、画像領域は、０次元（点）〜３次元（立体）のいずれであってもよい。別の具体例として、図４Ａに示す矢印のアノテーションＡ´が付加された医用画像に対して、特定部４２３ｂは、その矢印の先端を示す部分（点Ｐ；図４Ｂ参照）を画像領域として特定することもできる。
【００２８】
また、特定部４２３ｂにより特定される画像領域は、アノテーションの全てを含んでいる必要はない。たとえば、読影医等により入力部４１を介してアノテーションの一部が指定された場合には、特定部４２３ｂがその範囲を画像領域として特定することも可能である。なお、以上説明した画像領域は、「所定領域」又は「所定位置」の一例に該当する。
【００２９】
抽出部４２３ｃは、特定部４２３ｂにより特定された画像領域を含む所定範囲の画像を抽出する。具体例として、円形状のアノテーションＡが付加された医用画像（図３Ａ参照）に対して、その周及び周に囲まれた部分が画像領域として特定された場合について説明する。まず、抽出部４２３ｃは、特定された画像領域に外接する矩形Ｒ（ここでは四角形）を求める（図３Ｂ参照）。次に、抽出部４２３ｃは、矩形Ｒの各頂点から所定の長さだけ均等に拡大した範囲を所定範囲ＰＲとして求める（図３Ｃ参照）。最後に、抽出部４２３ｃは、所定範囲ＰＲの画像をトリミングにより抽出する（図３Ｄ参照）。所定範囲ＰＲまたは矩形Ｒから拡大する範囲は、予め所定の値が設定されていてもよい。或いはこれらの範囲について、特定部４２３ｂで特定される画像領域に応じて都度、任意に設定することも可能である。また、矩形Ｒから拡大する範囲は、矩形Ｒの各頂点から均等でなくともよい。複数の画像領域が特定されている場合、抽出部４２３ｃは、上記処理を特定された画像領域毎に行う。
【００３０】
さらに抽出部４２３ｃは、所定範囲ＰＲを表示部４３に表示させてもよい。この処理により、レポート作成装置４は、読影医等に抽出する範囲を呈示することが可能である。その結果、読影医等は、抽出される範囲を把握することが可能である。また、この所定範囲ＰＲの表示画面は、読影医等が入力部４１等を介して所定範囲ＰＲの編集操作をすることを可能に構成されていてもよい。その操作があると、抽出部４２３ｃは表示部４３に表示させた所定範囲ＰＲを変更する。この場合、抽出部４２３ｃは変更後の所定範囲ＰＲにおいて抽出処理を行う。
【００３１】
なお、アノテーションとして多角形やフリーハンドの図形が付加された場合であっても同様の処理が可能である。すなわち、抽出部４２３ｃは、特定部４２３ｂで特定された多角形やフリーハンドの図形に外接する矩形を求める。次に、抽出部４２３ｃは、その矩形の各頂点から均等に拡大した範囲を所定範囲として求める。最後に、抽出部４２３ｃは、その所定範囲の画像をトリミングにより抽出する。
【００３２】
別の具体例として、入力部４１により、注目部位を指す矢印のアノテーションＡ´が付加された医用画像（図４Ａ参照）に対し、その矢印の先端部分（点Ｐ）が画像領域として特定された場合（図４Ｂ参照）について説明する。抽出部４２３ｃは、特定された点Ｐ（画像領域）を含み、当該点Ｐから所定方向に均等に拡大した範囲を所定範囲ＰＲ´として求める（図４Ｃ参照）。そして、抽出部４２３ｃは、所定範囲ＰＲ´の画像をトリミングにより抽出する（図４Ｄ参照）。
【００３３】
拡大部４２３ｄは、抽出部４２３ｃにより抽出された画像に対応する拡大画像を生成する。生成された拡大画像は、表示部４３に表示される。拡大画像は、アノテーションの付加に用いた医用画像に基づいて生成されてもよいし、抽出された画像に基づいて生成されてもよい。たとえば、医用画像に基づいて拡大画像を生成する場合、拡大部４２３ｄは、医用画像において所定範囲ＰＲに対応する領域を拡大する処理を行う。医用画像から拡大画像を生成することにより、拡大画像における画質の劣化を抑えることが可能となる。また、抽出部４２３ｃによって抽出された画像（図３Ｄ参照）を拡大する場合、拡大部４２３ｄは、画像を構成する画素間に推定した画素を与える補間法等を用いてから、当該画像を所定の倍率で拡大する（図３Ｅ参照）。なお、図３Ｅでは元の医用画像（図３Ａ）と同じサイズに拡大している。拡大倍率は予め所定の倍率を設定してもよいし、操作者により都度、設定される構成とすることも可能である。複数箇所の画像が抽出されている場合、拡大部４２３ｄは、上記処理を画像毎に行う（図４Ｅ参照）。
【００３４】
関連付け部４２４は、入力部４１を介した指示を受け、拡大部４２３ｄで生成された拡大画像を読影レポートに関連付ける。この関連付け処理の具体例として、図３Ｆ及び図３Ｇを参照して説明する。図３Ｆは、拡大画像ＭＩを読影レポートＲＡに関連付ける操作を概念的に示す概略図である。図３Ｇは、拡大画像ＭＩを読影レポートＲＡに関連付ける処理を概念的に示す概略図である。
【００３５】
図３Ｆに示すように、操作者がマウス等の入力部４１を用いることにより、表示部４３に表示された拡大画像ＭＩをドラッグする操作を行った後、読影レポートＲＡにおけるいずれかの領域にドロップする操作を行うと、関連付け部４２４は、当該操作に応じた指示を受ける。また図３Ｇに示すように関連付け部４２４は、その指示に基づいて読影レポートＲＡの任意の部分に拡大画像ＭＩを関連付ける。なお、拡大画像は「第２の画像」の一例に該当する。また拡大画像の元の医用画像は、「第１の医用画像」の一例に該当する。
【００３６】
《関連付け例１》
上記における「画像を読影レポートに関連付ける」処理の一例としては、画像データを読影レポートのデータに貼り付ける処理として説明することができる。たとえば、関連付け部４２４はＤＩＣＯＭ画像を、ＪＰＥＧ等の汎用のファイルフォーマットに変換する。さらに関連付け部４２４は、読影レポートのデータに埋め込む処理を行う。この読影レポートを、検査依頼医が汎用のＰＣ等で閲覧する場合、読影レポートが読み出されるとともに、埋め込まれた拡大画像の画像データが読み出される。その結果、読影レポートとともに拡大画像が当該ＰＣの表示部等に表示される。
【００３７】
《関連付け例２》
また関連付け部４２４における関連付け処理には、たとえば、関連付け部４２４が拡大画像と読影レポートとを対応付けて記憶装置等に記憶させることが含まれる。たとえば、医用情報システム１において、拡大画像が元の医用画像と関連付けられて、医用画像保管装置３に記憶される構成とすることができる。この構成において、関連付け部４２４は、拡大画像の画像データを、元の医用画像の画像データの画像ＩＤもしくは記憶場所の情報、又は読影レポートを識別するＩＤ（レポートＩＤ、患者ＩＤ等）と関連付けて医用画像保管装置３に記憶させる。さらに関連付け部４２４は、拡大画像の画像データのリンク情報を、読影レポートのデータに埋め込む処理を行う。この読影レポートを、検査依頼医が閲覧する場合、検査依頼医のＰＣにより読影レポートが読み出されるとともに、埋め込まれた拡大画像の画像データのリンク情報が読み出される。このリンク情報に従って、画像データが読み出される。このような処理を経て、読影レポートとともに拡大画像が当該ＰＣの表示部等に表示される。なお、上記拡大画像の画像データは、ＤＩＣＯＭ画像であっても、ＪＰＥＧ等の汎用の画像データであってもよい。
【００３８】
《関連付け例３》
また関連付け部４２４における関連付け処理には、たとえば、関連付け部４２４が拡大画像を生成したときの画像処理条件と、読影レポートとを対応付けて記憶装置等に記憶させることが含まれる。たとえば、医用情報システム１において、拡大画像の画像処理条件が元の医用画像と関連付けられて、医用画像保管装置３に記憶される構成とすることができる。この構成において、関連付け部４２４は、拡大画像の画像処理条件を、拡大部４２３ｄ等から取得する。画像処理条件としては、元の医用画像における位置情報（座標情報）、解像度、拡大率及び上記補間法における条件等である。
【００３９】
さらに関連付け部４２４は、当該画像処理条件を、元の医用画像の画像データの画像ＩＤもしくは記憶場所の情報、又は読影レポートを識別するＩＤ（レポートＩＤ、患者ＩＤ等）と関連付けて医用画像保管装置３に記憶させる。さらに関連付け部４２４は、画像処理条件のリンク情報を、読影レポートのデータに埋め込む処理を行う。この読影レポートを、検査依頼医が閲覧する場合、検査依頼医のＰＣにより読影レポートが読み出されるとともに、読影レポートに関連付けられた元の医用画像の画像データと、埋め込まれた拡大画像の画像処理条件のリンク情報が読み出される。このリンク情報に従って、画像処理条件が読み出される。さらに検査依頼医のＰＣは、元の医用画像の画像データに対し、読み出した画像処理条件に基づいて画像処理を行う。その結果、当該ＰＣは拡大画像の画像データを生成する。このような処理を経て、読影レポートとともに拡大画像が当該ＰＣの表示部等に表示される。なお、上記拡大画像の画像データは、ＤＩＣＯＭ画像等である。
【００４０】
さらに関連付け部４２４は、読影レポート内における拡大画像の位置（表示位置）の情報、拡大画像のサイズの情報、並びに拡大画像又は医用画像の表示態様を読影レポートに関連付ける処理等を行なってもよい。
【００４１】
また図３Ｈに示すように、関連付け部４２は、拡大画像ＭＩと併せて、拡大画像ＭＩの元となった医用画像Ｉを読影レポートＲＡに関連付けることも可能である。また関連付け部４２４は、表示部４３に表示されている他の医用画像等を読影レポートに関連付けることも可能である。或いは、表示部４３に複数の拡大画像が表示されている場合、関連付け部４２４は、操作に応じてそれぞれの拡大画像を一つの読影レポートに関連付けることも可能である。なお、検査依頼医のＰＣ等により読み出された後の表示態様については後述する。
【００４２】
表示制御部４２５は、表示部４３に対する表示制御を行う。たとえば、表示制御部４２５は、取得部４２１で取得された医用画像や読影レポート等を表示部４３に表示させるための制御を行う（図４Ｅ参照）。
【００４３】
（表示部）
表示部４３は、読影レポート及び医用画像を表示するディスプレイである。本実施形態では、２つの表示部４３を有するデュアルディスプレイが用いられている。一方の表示部４３には、読影レポートが表示され、他方の表示部４３には、医用画像が表示される。取得部４２１により取得された医用画像が複数枚ある場合、表示部４３には、全ての医用画像を表示させてもよい。
【００４４】
本実施形態において、上記構成のうち、特定部４２３ｂ、関連付け部４２４及び表示部４３は、「レポート作成支援装置」の一例に該当する。また「レポート作成支援装置」の一例として、入力部４１、抽出部４２３ｃ及び拡大部４２３ｄを含む場合がある。
【００４５】
［動作］
次に、図５を参照して、本実施形態に係るレポート作成装置４の動作について説明する。
【００４６】
まず、操作者によりレポート作成装置４が起動される。レポート作成装置４が起動された後、表示制御部４２５により、表示部４３に所見入力欄を含む読影レポート作成画面が表示される（Ｓ１０）。
【００４７】
次に、操作者により入力部４１を介して検査ＩＤが入力されることに応じて、取得部４２１はその検査ＩＤに関連する医用画像を医用画像保管装置３から取得する。表示制御部４２５は、取得された医用画像を表示部４３に表示させる（Ｓ１１）。
【００４８】
読影医は、表示部４３に表示された医用画像を観察し、所見を見出す。そして、読影医は、その所見を入力部４１を介して表示部４３に表示された読影レポート作成画面に入力する操作を行う。この際、読影医は、読影レポートを作成する際に参照した医用画像のいずれかの部分に、入力部４１を用いてアノテーションを付加する操作を行うことがある。この操作に基づき、アノテーション部４２３ａは、医用画像に対してアノテーションを付加する（Ｓ１２）。以下、Ｓ１２において、読影医により円形状のアノテーションＡが付加される操作が実行された場合について説明を行う（図３Ａ参照）。
【００４９】
アノテーションＡが付加されると、特定部４２３ｂは、エッジ検出により円形状のアノテーションＡの周を検出する。さらに特定部４２３ｂは、その周及び周に囲われた部分を画像領域として特定する（Ｓ１３）。
【００５０】
抽出部４２３ｃは、特定された画像領域に外接する矩形Ｒ（四角形）を求める（図３Ｂ参照）。次に、抽出部４２３ｃは、矩形Ｒの各頂点から所定の長さだけ均等に拡大した所定範囲ＰＲを求める（図３Ｃ参照）。さらに、抽出部４２３ｃは、所定範囲ＰＲの画像をトリミングにより抽出する（Ｓ１４；図３Ｄ参照）。
【００５１】
拡大部４２３ｄは、Ｓ１４で抽出された画像に対応する拡大画像を生成する（Ｓ１５。図３Ｅ参照）。なお、複数のアノテーションが付加されている場合がある。たとえば、１枚の医用画像に複数のアノテーションが付加されている場合、または複数枚の医用画像それぞれにアノテーションが付加されている場合等である。この場合、レポート作成装置４は、それぞれのアノテーションに対してＳ１３からＳ１５の処理を行う。
【００５２】
表示制御部４２５は、Ｓ１５で生成された拡大画像を表示部４３に表示させる（Ｓ１６）。
【００５３】
読影医は、入力部４１により、Ｓ１６で表示された拡大画像を読影レポートに関連付ける指示を行う（図３Ｆ参照）。当該指示に基づき、関連付け部４２４は、Ｓ１５で生成された拡大画像を読影レポートに関連付ける（Ｓ１７）（図３Ｇ参照）。このような処理に基づいて、医用画像が関連付けられた読影レポートが生成される（Ｓ１８）。
【００５４】
［拡大画像の取得処理］
拡大画像が関連付けられた読影レポートは、たとえば、読影レポートを記憶する記憶部にレポートＩＤ等とともに記憶されている。そのレポートの記憶部に接続された端末からレポートの読出し要求を行うと、要求に応じた読影レポートが当該端末に送信される。図１に示す例では、医用情報システム１におけるレポート保管装置５に当該読影レポートが記憶されている。以下、図１に示す医用情報システム１に基づき、読影レポートの表示態様について説明する。
【００５５】
検査依頼医等はたとえば、医用情報システム１に接続されたＰＣ端末等により、任意のレポートＩＤ等を入力し、かつ読影レポートの取得要求を行う。レポート保管装置５は、当該取得要求及びレポートＩＤを受け、当該レポートＩＤに対応する読影レポートを当該ＰＣ端末に送信する。要求にかかるＰＣ端末では、読影レポートのデータを受ける。ここで、ＰＣ端末は、読影レポートに埋め込まれた情報に基づいて、その読影レポートに関連付けられた拡大画像とともに読影レポートを表示部（不図示）に表示させる。
【００５６】
第１の例として拡大画像の画像データが埋め込まれている場合、ＰＣ端末は、埋め込まれた画像データに基づいて拡大画像を表示させる。第２の例として拡大画像のリンク情報が埋め込まれている場合、ＰＣ端末は、埋め込まれた画像のリンク情報に基づいて医用画像保管装置３からリンク情報に対応する画像データを取得する。さらにＰＣ端末は、画像データに対応する拡大画像を読影レポートとともに表示させる。
【００５７】
第３の例として拡大画像の元となる医用画像のリンク情報と拡大画像の画像処理条件とが埋め込まれている場合、ＰＣ端末は、埋め込まれた画像のリンク情報に基づいて医用画像保管装置３からリンク情報に対応する画像データを取得する。さらにＰＣ端末は、画像データに対応する医用画像に対し、埋め込まれていた画像処理条件を施し、拡大画像を生成する。さらにＰＣ端末は、読影レポートとともに生成した拡大画像を表示させる。
【００５８】
第４の例として拡大画像の元となる医用画像のリンク情報及び拡大画像の画像処理条件のリンク情報が埋め込まれている場合、ＰＣ端末は、埋め込まれた画像のリンク情報に基づいて医用画像保管装置３からリンク情報に対応する画像データを取得する。なおかつＰＣ端末は、医用情報システム１におけるいずれかの記憶装置から、拡大画像の画像処理条件のリンク情報に基づいて画像処理条件を取得する。さらにＰＣ端末は、画像データに対応する医用画像に対し、取得した画像処理条件を施し、拡大画像を生成する。さらにＰＣ端末は、読影レポートとともに生成した拡大画像を表示させる。なお、この例において医用画像の画像データが読影レポートに埋め込まれていてもよい。
【００５９】
なお、以上説明した第１の例〜第４の例において、ＰＣ端末に拡大画像の元の医用画像を取得させてもよい。また、ＰＣ端末が拡大画像を取得する実施例としては、上記説明した例に限られない。また、読影レポートに関連付けられた拡大画像には、読影レポートの画像表示欄における配置位置に関する情報及び元の医用画像の表示態様に関する情報が対応付けられている場合がある。
【００６０】
［表示態様］
次に、読影レポートと、上記実施形態により生成され、当該読影レポートに関連付けられた拡大画像が表示されるときの表示態様について、図４Ｅ〜図４Ｌを参照して説明する。図４Ｆ〜図４Ｉは、読影レポートとともに表示される医用画像及び拡大画像の概要を示す概略図である。図４Ｆ〜図４Ｌは、それぞれ拡大画像または医用画像の表示態様が異なるように示されている。これらの各表示態様は、読影レポートに関連付けられた画像の表示に関する情報に従う。
【００６１】
上記したように読影レポートには、読影レポートの画像表示欄における、拡大画像の配置位置及び表示態様と、元の医用画像の配置位置及び表示態様とに関する情報が関連付けられる場合がある。ＰＣ端末は、その関連付けられた情報に基づいて、たとえば、以下に示すような表示態様で拡大画像、及び元の医用画像を表示部等に表示させる。
【００６２】
＜第１の例＞
表示態様の第１の例について図４Ｆを参照して説明する。図４Ｆに示すように、ＰＣ端末の表示制御部（不図示）は、読影レポートに関連付けられた情報に基づき、読影レポートの画像表示領域に、拡大画像及び元の医用画像を並べて表示させる。なお、図４Ｆの例に限らず、拡大画像と元の医用画像の表示サイズを異ならせてもよい。また、関連付け部４２４が、読影レポートを、拡大画像と元の医用画像の表示サイズを可変とするように構成している場合は、これらのサイズを操作部等により変更することが可能である。また、拡大画像と元の医用画像との並びは、読影レポートのレイアウトに従えばよく、図４Ｆの例に限られない。
【００６３】
＜第２の例＞
表示態様の第２の例について図４Ｇ及び図４Ｈを参照して説明する。図４Ｇに示すように、ＰＣ端末は、読影レポートに関連付けられた情報に基づき、読影レポートの画像表示領域に、拡大画像及び元の医用画像を並べて表示させる。さらに、第２の例においては、表示する元の医用画像の中に、拡大画像の位置を示す位置情報を表示する。
【００６４】
たとえば、ＰＣ端末の表示制御部は、拡大画像の付帯情報等を参照し、当該付帯情報から元の医用画像における拡大画像に相当する位置情報（座標情報等）を抽出する。さらに表示制御部は、抽出した位置情報に基づいて、元の医用画像における拡大画像に相当する領域を特定する。なお、表示制御部は特定した拡大画像に相当する領域の外縁部の位置情報のみを特定してもよい。さらに表示制御部は、当該特定した拡大画像の位置情報に基づき、元の医用画像において、拡大画像に相当する領域の表示態様を、その周囲の表示態様と異ならせる。
【００６５】
たとえば、図４Ｇに示すように元の医用画像の画像データに対し、表示制御部は、拡大画像に相当する領域の外縁を破線で描画する処理を行う。なお、他の例として表示制御部は拡大画像に相当する領域を他の部分の表示色と異ならせて、当該領域を識別可能とする処理を行う。また他の例として、表示制御部は、拡大画像に相当する領域の階調表示を、他の部分の階調表示に対し、反転させる処理を行う。また他の例として、表示制御部は拡大画像に相当する領域の透明度を他の部分の透明度と識別可能に異ならせる処理を行う。
【００６６】
また、他の例として図４Ｈを参照して説明する。元の医用画像の画像データに対し、表示制御部は、拡大画像に相当する領域の外縁を実線、破線等で描画する。さらに表示制御部は、拡大画像に相当する領域の外縁部と、拡大画像の外縁部との間を結ぶ線を描画する処理（吹き出し表示処理）を行う。
【００６７】
＜第３の例＞
表示態様の第３の例について図４Ｉ及び図４Ｊを参照して説明する。図４Ｉ及び図４Ｊに示すように、ＰＣ端末は、読影レポートに関連付けられた情報に基づき、読影レポートの画像表示領域に、拡大画像及び元の医用画像のいずれかを選択的に表示させる。たとえば、表示制御部は、図４Ｉ及び図４Ｊに示すような切り替えボタンを読影レポートに表示させる。さらに表示制御部は、ＰＣ端末の操作部等により、切り替えボタンの操作がなされると、元の医用画像から拡大画像に表示を切り替える処理を行う（図４Ｉ→図４Ｊ）。同様に、表示制御部は、ＰＣ端末の操作部等により、切り替えボタンの操作がなされると、拡大画像から元の医用画像に表示を切り替える処理を行う（図４Ｊ→図４Ｉ）。
【００６８】
なお、読影レポートに関連付けられた拡大画像が複数ある場合、表示制御部は拡大画像のファイル名等及び元の医用画像のファイル名を、上記切り替えボタンに替えて表示する。さらに表示制御部は、ＰＣ端末の操作部等により、ファイル名の１つが選択される操作がなされると、操作に対応するファイル名を有する画像を表示する処理を行う。
【００６９】
またこの例と第１の例を組み合わせること可能である。たとえば、表示制御部は、読影レポートに関連付けられた情報に基づき、複数の拡大画像のうち、１以上の画像を元の医用画像と並べて表示させる。さらに表示制御部は読影レポートの画像表示領域に、拡大画像のファイル名を選択可能に表示させる。また、表示制御部はＰＣ端末の操作部等により、ファイル名の１つが選択される操作がなされると、操作に対応するファイル名を有する拡大画像を、元の医用画像と並べて表示する処理を行う。
【００７０】
またこの例と第２の例を組み合わせることも可能である。たとえば、表示制御部は、読影レポートに関連付けられた情報に基づき、複数の拡大画像のうち、１以上の画像を元の医用画像と並べて表示させるとともに、元の医用画像において各拡大画像（下記第４の例参照）位置を周囲の表示態様と異なる表示態様にする処理を行う。さらに、表示制御部はＰＣ端末の操作部等により、元の医用画像における各拡大画像のいずれかが選択される操作がなされると、操作に対応する位置に該当する拡大画像を、元の医用画像と並べて表示する処理を行う。
【００７１】
＜第４の例＞
表示態様の第４の例について図４Ｋを参照して説明する。図４Ｋに示すように、ＰＣ端末は、読影レポートに関連付けられた情報に基づき、読影レポートの画像表示領域に、複数の拡大画像と元の医用画像とを並べて表示させる。なお、表示制御部は、複数の拡大画像の全てを元の医用画像と並べて表示させる必要はなく、設定に応じた数の拡大画像を元の医用画像と並べて表示させる処理を行う。
【００７２】
＜第５の例＞
表示態様の第５の例について説明する。ＰＣ端末は、読影レポートに関連付けられた情報に基づき、読影レポートの画像表示領域に、複数の拡大画像と元の医用画像とを並べて表示させる。さらに、表示制御部は、読影レポートのいずれかの領域に、拡大画像を非表示にする操作を行うためのボタンを表示させる。さらに表示制御部はＰＣ端末の操作部等により、当該ボタンを選択する操作がなされると、画像表示領域に元の医用画像のみを表示させ、拡大画像を非表示にする処理を行う。なお、拡大画像を非表示とする場合、元の医用画像の表示領域を拡張させてもよい。
【００７３】
＜第６の例＞
表示態様の第６の例について図４Ｌを参照して説明する。図４Ｌに示すように、ＰＣ端末は、読影レポートに関連付けられた情報に基づき、読影レポートの画像表示領域において、元の医用画像の上に拡大画像を重畳して表示させる。なお、この第６の例と上記第３の例とを組み合わせることも可能である。図４Ｌに示すように、表示制御部は、読影レポートに関連付けられた情報に基づき、読影レポートの画像表示領域に切り替えボタンを表示させる。さらに表示制御部はＰＣ端末の操作部等により、当該切り替えボタンを選択する操作がなされると、画像表示領域に元の医用画像のみを表示させ、拡大画像を非表示にする処理を行う。
【００７４】
なお、読影レポートに関連付けられた拡大画像が複数ある場合、表示制御部は拡大画像のファイル名等及び元の医用画像のファイル名を、上記切り替えボタンに替えて表示する。さらに表示制御部は、ＰＣ端末の操作部等により、ファイル名の１つが選択される操作がなされると、操作に対応するファイル名を有する画像を表示する処理を行う。
【００７５】
また、表示制御部は、上記他の例のように、元の医用画像に各拡大画像に相当する位置を表示させ（図４Ｋ参照）、当該位置いずれかが選択される操作に応じて、選択された拡大画像のみを元の医用画像と重畳表示させ、他の拡大画像を非表示にする処理を行ってもよい。
【００７６】
以上、読影レポートと拡大画像と元の医用画像の表示態様を用いることで、検査依頼医等のＰＣ端末の表示部において表示領域が限られている場合であっても、表示領域を確保することが可能である。また、元の医用画像と拡大画像との位置関係を明確にすることが可能である。
【００７７】
［作用・効果］
第１実施形態に係るレポート作成装置４の作用及び効果について説明する。
【００７８】
レポート作成装置４は、表示部４３に表示された医用画像における所定領域を特定する。またレポート作成装置４は、当該領域を含む所定範囲の画像を生成する。たとえば、当該所定範囲に対応する拡大画像を生成する。
【００７９】
所定領域は、たとえば特定部４２３ｂにより、医用画像に描出された図形に基づき特定される。この図形としては、医用画像における注目部位を指す矢印、或いは、医用画像における注目部位を囲む図形を挙げることができる。なお、この図形には、円、楕円、多角形、フリーハンドで描画された図形等の少なくともいずれかが含まれる。また、拡大画像を生成するために、医用画像における所定の位置を含む所定範囲が抽出される場合がある。たとえば図形が矢印の場合、抽出部４２３ｃは、その矢印の先端の点を含む所定範囲の画像を抽出する。また、図形が、注目部位を囲む図形の場合、抽出部４２３ｃは、その図形を画像領域として所定範囲の画像を抽出する。抽出処理の一例としては、次の通りである。特定部４２３ｂは医用画像に付加されたアノテーションの周を検出する。さらに特定部４２３ｂは、その周及び周に囲われた部分を画像領域として特定する。抽出部４２３ｃは、特定された画像領域に外接する図形を求める。さらに抽出部４２３ｃは、その図形を所定範囲として特定し、医用画像から特定した範囲を抽出する。
【００８０】
このように、レポート作成装置４は、医用画像からで特定された画像領域を含む所定範囲の画像を自動的に抽出、拡大する。このような構成によれば、読影医は、読影レポートを作成するとき、都度、拡大画像を作成する必要がない。従って、読影医は、拡大画像から任意の画像を選択して所見入力欄に関連付ける操作を行うだけで読影レポートを作成することができる。すなわち、本実施形態に係るレポート作成装置４によれば、読影レポートの作成作業を容易にすることが可能となる。
【００８１】
また、本実施形態において、関連付け部４２４は、拡大画像と併せて、拡大画像の元となる医用画像を読影レポートに関連付けることができる。
【００８２】
たとえば、拡大画像と併せて、当該医用画像を読影レポートに関連付ければ、後にその読影レポートを確認する医師等は、拡大画像が医用画像のどの部分に対応しているのかを容易に知ることが可能となる。
【００８３】
＜変形例＞
画像領域を特定する方法は、第１実施形態で説明した方法に限られない。すなわち、アノテーションを元に画像領域を特定する構成に限られない。
【００８４】
《変形例１》
たとえば、特定部４２３ｂは、操作者による、マウス等の入力部４１を用いたドラッグ操作に基づいて、画像領域を特定することが可能である。つまり、アノテーション等の注目部位を特定する図形表示等を付加する操作を経ることなく、読影医等が入力部４１等により注目部位をマウスポインタ等により指定しつつドラッグ操作をすることにより、特定部４２３ｂは、そのドラッグ操作にかかる指定点を含む画像領域として特定する。この処理の具体例について図６を参照して説明する。図６は、変形例に係る医用画像の一例を示す図である。図６においては、操作者によりドラッグ操作されるときに指定された点を見やすくするため、部分的な拡大図も示している。
【００８５】
読影医は、マウスを介して医用画像に表示されたポインタＢを操作し、注目部位を指定するか、もしくは注目部位を含むようにドラッグ操作する。特定部４２３ｂは、その指定された点Ｅを画像領域として特定する。あるいは特定部４２３ｂは、ドラッグ操作により指定された面を画像領域として特定する。その後、抽出部４２３ｃ等により、当該画像領域に基づいて、所定範囲の抽出、拡大画像の生成等、上記実施形態と同様の処理を行う。これらの処理により、表示部４３に指定された点Ｅ又は面を含む拡大画像を表示することができる。
【００８６】
この変形例１では、読影医等が元の医用画像に対しアノテーションの付与をする操作を行うことなく、注目部位を特定し、拡大画像を生成することが可能である。
【００８７】
《変形例２》
或いは、特定部４２３ｂは、医用画像において指定された注目部位を画像領域として特定することが可能である。
【００８８】
具体例としては、表示部４３に表示された医用画像に対し、図示されない解析部が画像解析を行う。解析部は、画像解析により病変部等の注目部位の位置情報を取得する。解析部はこの処理により、注目部位を指定する。特定部４２３ｂは、指定された注目部位の位置情報に基づき、注目部位の領域を求める。そして、特定部４２３ｂは、求めた領域を画像領域として特定する。その後、抽出部４２３ｃ等により、当該画像領域に基づいて、所定範囲の抽出、拡大画像の生成等、上記実施形態と同様の処理を行う。これらの処理により指定された注目部位を含む拡大画像を表示することができる。
【００８９】
上記変形例１及び変形例２であっても、その画像領域を含む所定範囲の画像を自動的に抽出、拡大することが可能である。このような構成によれば読影医が都度、拡大画像を作成する必要がない。従って、読影医は、拡大画像から任意の画像を選択して所見入力欄に関連付けるだけで読影レポートを作成することができる。すなわち、読影レポートの作成作業を容易にすることができる。
【００９０】
＜第２実施形態＞
次に、図７から図９を参照して、第２実施形態に係るレポート閲覧装置６の構成について説明する。なお、第１実施形態と同様の構成については、詳細な説明を省略する場合がある。
【００９１】
［医用情報システム１の全体構成］
図７に示すように、医用情報システム１は、医用画像撮影装置２、医用画像保管装置３、レポート作成装置４、レポート保管装置５及びレポート閲覧装置６を含んで構成されている。
【００９２】
レポート閲覧装置６は、レポート作成装置４で作成された読影レポートを閲覧するための装置である。以下、レポート閲覧装置６の詳細について述べる。
【００９３】
［レポート閲覧装置の構成］
図８は、本実施形態に係るレポート閲覧装置６の詳細を示すブロック図である。レポート閲覧装置６は、入力部６１と、ＣＰＵ６２と、表示部６３とを含んで構成されている。
【００９４】
（入力部）
入力部６１は、レポート閲覧装置６において各種の指示に用いられる。入力部６１は、たとえば、キーボード、マウス、トラックボール、ジョイスティック等である。また、入力部６１として、表示部６３に表示されたＧＵＩを用いることも可能である。
【００９５】
（ＣＰＵ）
本実施形態において、ＣＰＵ６２は、レポート取得部６２１、処理部６２２、及び表示制御部６２３として機能する。
【００９６】
レポート取得部６２１は、入力部６１等からの指示に基づいて、読影レポートをレポート保管装置５から取得する。読影レポートは、医師等により参照される。具体例として、入力部６１で患者ＩＤが入力された場合、レポート取得部６２１は、その患者ＩＤに対応する読影レポートをレポート保管装置５から読み出す。
【００９７】
処理部６２２は、レポート取得部６２１により取得された読影レポート及び読影レポートに関連付けられた医用画像の一方又は双方に対して各種の処理を行う。本実施形態における処理部６２２は、判断部６２２ａと、抽出部６２２ｂと、拡大部６２２ｃとを含んで構成されている。
【００９８】
判断部６２２ａは、読影レポートに関連付けられた医用画像に注目部位を示す図形があるか否かを判断する。具体例として、判断部６２２ａは、医用画像に対して、エッジ検出等の処理を行い図形（アノテーション等）が付加されているか否かを判断する。読影レポートに複数枚の医用画像が関連付けられている場合、判断部６２２ａは、各医用画像に対して上記処理を行う。判断部６２２ａは、入力部４１等による指示（手動）により処理を開始してもよい。或いは、判断部６２２ａは、レポート取得部６２１により読影レポートが取得されたことに応じて、判断部６２２ａが自動で処理を開始してもよい。
【００９９】
判断部６２２ａにより医用画像中に注目部位を示す図形があると判断された場合、抽出部６２２ｂは、その図形の少なくとも一部を含む所定範囲の画像を抽出する。具体例として、読影レポートに関連付けられた医用画像において円形状のアノテーションが付加されている場合について説明する。まず、抽出部６２２ｂは、円形状のアノテーションに外接する矩形を求める。次に、抽出部６２２ｂは、矩形の各頂点から所定の長さだけ均等に拡大した範囲を所定範囲とする画像を指定する。最後に、抽出部６２２ｂは、所定範囲の画像をトリミングにより抽出する。読影レポートに関連付けられた医用画像に、複数の図形が含まれていると判断されている場合、抽出部６２２ｂは、それぞれの図形に対して上記処理を行う。また、入力部６１等による指示により、アノテーションの一部を含む矩形が指定された場合、抽出部６２２ｂは、その矩形に対して上記処理を行うことでアノテーションの一部を含む所定範囲の画像を抽出することも可能である。
【０１００】
拡大部６２２ｃは、抽出部６２２ｂにより抽出された画像に対応する拡大画像を生成する。生成された拡大画像は、表示部６３に表示される。拡大部６２２ｃによる処理の具体例は、第１実施形態における拡大部４２３ｄの処理と同様である。
【０１０１】
表示制御部６２３は、表示部６３に対する表示制御を行う。たとえば、表示制御部６２３は、拡大部６２２ｃで拡大された拡大画像を表示部６３に表示させるための制御を行う。
【０１０２】
（表示部）
表示部６３は、読影レポートを表示するディスプレイである。
【０１０３】
なお、本実施形態におけるレポート閲覧装置としては、上記構成のうち、少なくとも判断部６２２ａ、抽出部６２２ｂ、拡大部６２２ｃ、表示制御部６２３及び表示部６３を含んでいればよい。
【０１０４】
［動作］
次に、図９を参照して、本実施形態に係るレポート閲覧装置６の動作について説明する。
【０１０５】
まず、操作者によりレポート閲覧装置６が起動される。さらに医師等が入力部６１を介して患者ＩＤの入力を行う。患者ＩＤが入力されると、レポート取得部６２１は、その患者ＩＤに関連する読影レポートをレポート保管装置５から取得する。表示制御部６２３は、取得された読影レポートを表示部６３に表示させる（Ｓ２０）。
【０１０６】
判断部６２２ａは、Ｓ２０で表示された読影レポートに関連付けられた医用画像に注目部位を示す図形があるか否かを判断する（Ｓ２１）。
【０１０７】
図形があると判断された場合（Ｓ２１；Ｙ）、抽出部６２２ｂは、その図形に外接する矩形を生成する。次に、抽出部６２２ｂは、矩形の各頂点から所定の長さだけ均等に拡大した範囲を所定範囲として指定する。さらに、抽出部６２２ｂは、所定範囲の画像をトリミングにより抽出する（Ｓ２２）。なお、図形が無いと判断された場合（Ｓ２１；Ｎ）、Ｓ２２以降の処理は実行されない。
【０１０８】
拡大部６２２ｃは、Ｓ２２で抽出された画像に対応する拡大画像を生成する（Ｓ２３）。なお、医用画像に複数の注目部位を示す図形が付加されている場合には、それぞれの図形に対してＳ２２及びＳ２３の処理を行う。
【０１０９】
表示制御部６２３は、Ｓ２３で生成された拡大画像を表示部６３に表示させる（Ｓ２４）。
【０１１０】
［作用・効果］
第２実施形態に係るレポート閲覧装置の作用及び効果について説明する。
【０１１１】
本実施形態に係るレポート閲覧装置は、表示部６３と、判断部６２２ａと、抽出部６２２ｂと、拡大部６２２ｃと、表示制御部６２３とを含んで構成されている。表示部６３は、医用画像が関連付けられた読影レポートを表示する。判断部６２２ａは、関連付けられた医用画像に注目部位を示す図形があるか否かを判断する。注目部位を示す図形があると判断された場合、抽出部６２２ｂは、その図形の少なくとも一部を含む所定範囲の画像を抽出する。拡大部６２２ｃは、抽出された画像に対応する拡大画像を生成する。表示制御部６２３は、拡大画像を表示部に表示させる。
【０１１２】
このように、レポート閲覧装置は、読影レポートに関連付けられた医用画像の注目部位を含む所定範囲の画像を自動的に抽出、拡大する。このような構成によれば医師等は読影レポートの読影を容易に行うことができる。また、読影医は、読影レポートを作成する都度、拡大画像を作成する必要がない。従って、読影医は、所見の元となった医用画像を所見入力欄に関連付けるだけで読影レポートを作成することができる。すなわち、本実施形態に係るレポート閲覧装置によれば、読影レポートの作成作業も容易にすることが可能となる。
【０１１３】
＜第３実施形態＞
次に、第３実施形態に係るレポート作成装置４の構成について説明する。なお、第１実施形態と同様の構成については、詳細な説明を省略する。
【０１１４】
第３実施形態において、第１実施形態における図３Ａ〜図３Ｄまでの処理、すなわち、図５のフローチャートにおけるＳ１０〜Ｓ１４までの処理は第１実施形態と同様である。なお、Ｓ１０は読影レポートの作成画面の表示処理であり、Ｓ１４は、元の医用画像から所定範囲を抽出する処理である。
【０１１５】
第３実施形態に係るレポート作成装置４は切り出し画像生成部（不図示）を備えており、切り出し画像生成部は、抽出された画像の表示倍率を変更しない切り出し画像を生成する。表示制御部４２５は、生成された切り出し画像を表示部４３に表示させる。読影医は、入力部４１により、表示された切り出し画像を読影レポートに関連付ける指示を行う（図３Ｆと同様）。当該指示に基づき、関連付け部４２４は、生成された切り出し画像を読影レポートに関連付ける（図３Ｇと同様）。このような処理に基づいて、切り出し画像が関連付けられた読影レポートが生成される。
【０１１６】
読影レポートには、読影レポートの画像表示欄における、拡大画像及び元の医用画像の配置位置及び表示態様に関する情報が関連付けられる場合がある。検査依頼医等が使用するＰＣ端末においては、その関連付けられた情報に基づいて、たとえば、第１実施形態の各表示態様の例と同様に切り出し画像、及び元の医用画像を読影レポートとともに表示させる。
【０１１７】
［作用・効果］
第３実施形態に係るレポート作成装置４の作用及び効果について説明する。
【０１１８】
レポート作成装置４は、表示部４３に表示された医用画像における所定領域を特定する。またレポート作成装置４は、当該領域を含む所定範囲の切り出し画像を生成する。
【０１１９】
所定領域は、たとえば特定部４２３ｂにより、医用画像に描出された図形に基づき特定される。また、拡大画像を生成するために、医用画像における所定の位置を含む所定範囲が抽出される場合がある。また、図形が、注目部位を囲む図形の場合、抽出部４２３ｃは、その図形を画像領域として所定範囲の画像を抽出する。
【０１２０】
このように、レポート作成装置４は、医用画像からで特定された画像領域を含む所定範囲の画像を自動的に抽出し、抽出した領域の切り出し画像を生成する。このような構成によれば、読影医は、読影レポートを作成するとき、都度、切り出し画像を作成する必要がない。従って、読影医は、切り出し画像から任意の画像を選択して所見入力欄に関連付ける操作を行うだけで読影レポートを作成することができる。すなわち、本実施形態に係るレポート作成装置４によれば、読影レポートの作成作業を容易にすることが可能となる。
【０１２１】
また、本実施形態において、関連付け部４２４は、切り出し画像と併せて、切り出し画像の元となる医用画像を読影レポートに関連付けることができる。
【０１２２】
たとえば、切り出し画像と併せて、当該医用画像を読影レポートに関連付ければ、後にその読影レポートを確認する医師等は、切り出し画像が医用画像のどの部分に対応しているのかを容易に知ることが可能となる。
【０１２３】
＜実施形態に共通の効果＞
以上述べた少なくともひとつの実施形態の構成によれば、医用画像の所定範囲の画像を自動的に抽出することができる。このような構成によれば、読影医が読影レポートにかかる医用画像の拡大画像又は切り出し画像を作成する必要がない。すなわち、読影レポートの作成作業を容易にすることが可能となる。
【０１２４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２５】
１  医用情報システム
２  医用画像撮影装置
３  医用画像保管装置
４  レポート作成装置
５  レポート保管装置
４１  入力部
４２  ＣＰＵ
４３  表示部
４２１  取得部
４２２  レポート作成部
４２３  処理部
４２３ａ  アノテーション部
４２３ｂ  特定部
４２３ｃ  抽出部
４２３ｄ  拡大部
４２４  関連付け部
４２５  表示制御部
【図１】
2013215563.tif 000003
【図２】
2013215563.tif 000004
【図３Ａ】
2013215563.tif 000005
【図３Ｂ】
2013215563.tif 000006
【図３Ｃ】
2013215563.tif 000007
【図３Ｄ】
2013215563.tif 000008
【図３Ｅ】
2013215563.tif 000009
【図３Ｆ】
2013215563.tif 000010
【図３Ｇ】
2013215563.tif 000011
【図３Ｈ】
2013215563.tif 000012
【図４Ａ】
2013215563.tif 000013
【図４Ｂ】
2013215563.tif 000014
【図４Ｃ】
2013215563.tif 000015
【図４Ｄ】
2013215563.tif 000016
【図４Ｅ】
2013215563.tif 000017
【図４Ｆ】
2013215563.tif 000018
【図４Ｇ】
2013215563.tif 000019
【図４Ｈ】
2013215563.tif 000020
【図４Ｉ】
2013215563.tif 000021
【図４Ｊ】
2013215563.tif 000022
【図４Ｋ】
2013215563.tif 000023
【図４Ｌ】
2013215563.tif 000024
【図５】
2013215563.tif 000025
【図６】
2013215563.tif 000026
【図７】
2013215563.tif 000027
【図８】
2013215563.tif 000028
【図９】
2013215563.tif 000029